(57)【要約】【課題】車両の起動前の暖機動作を効果的に行うことが可能な制御装置を提供する。【解決手段】電力生成装置１０、及び電力生成装置１０において発生した水を車両１００外に排出する排水管１２の少なくとも一方の温度を直接的又は間接的に検出するセンサ（外気温センサ３４）による検出の結果、電力生成装置１０が動作不可能な温度であった場合には、加熱装置２２，２４に対して、電圧変換装置２６に入力された外部電力のみを供給し、センサによる検出の結果、電力生成装置１０が動作可能な温度であった場合には、加熱装置２２，２４に対して、外部電力及び内部電源１４から出力された内部電力の少なくとも一方を供給することを特徴とする。【選択図】図１
2009026563.tif 000002
【特許請求の範囲】
【請求項１】
燃料電池本体部で発生する電力を含む電力を出力する内部電源と、車両外部から供給される外部電力を受け入れる外部電力受入部と、を備える車両の暖機動作を制御する制御装置において、
前記燃料電池本体部、及び前記燃料電池本体部において発生した水を前記車両外に排出する排水管の少なくとも一方の温度を直接的又は間接的に検出する検出手段による検出の結果、前記燃料電池本体部が動作不可能な温度であった場合には、前記燃料電池本体部及び前記排水管の少なくとも一方の温度を上昇させる加熱部に対して、前記外部電力受入部から受け入れた外部電力のみを供給し、
前記検出手段による検出の結果、前記燃料電池本体部が動作可能な温度であった場合には、前記加熱部に対して、前記外部電力受入部から受け入れた外部電力及び前記内部電源から出力された電力の少なくとも一方を供給することを特徴とする制御装置。
【請求項２】
前記検出手段による検出の結果、前記燃料電池本体部が動作可能な温度であった場合には、
温度に応じて変化する前記燃料電池本体部の電力生成効率に基づいて、前記外部電力受入部から受け入れた外部電力と、前記内部電源から出力された電力との割合を変更して、前記加熱部に供給することを特徴とする請求項１に記載の制御装置。
【請求項３】
前記検出手段による検出の結果、前記燃料電池本体部が動作可能な温度であった場合には、
前記外部電力受入部から受け入れた外部電力と前記内部電源から出力される電力の単価及び／又は全部加熱部の発熱効率を考慮して、前記両電力の割合を変更し、前記加熱部に供給することを特徴とする請求項１に記載の制御装置。
【請求項４】
前記検出手段による検出の結果、前記燃料電池本体部が動作可能な温度であった場合には、
前記外部電力受入部に対して外部電力が供給されているか否かを判断し、
前記外部電力が供給されていない場合には、前記加熱部に対して、前記内部電源から出力された電力のみを供給することを特徴とする請求項１に記載の制御装置。
【請求項５】
前記加熱部に対する電力の供給停止を、前記検出手段の検出結果、又は前記燃料電池本体における電力生成効率に基づいて制御することを特徴とする請求項１〜４のいずれか一項に記載の制御装置。
【請求項６】
燃料電池本体部で発生する電力を含む電力を出力する内部電源と、車両外部から供給される外部電力を受け入れる外部電力受入部と、を備える車両の暖機動作を制御する制御方法において、
前記燃料電池本体部、及び前記燃料電池本体部において発生した水を前記車両外に排出する排水管の少なくとも一方の温度を直接的又は間接的に検出し、
前記検出の結果、前記燃料電池本体部が動作不可能な温度であった場合には、前記燃料電池本体部及び前記排水管の少なくとも一方の温度を上昇させる加熱部に対して、前記外部電力受入部から受け入れた外部電力のみを供給するとともに、前記検出の結果、前記燃料電池本体部が動作可能な温度であった場合には、前記加熱部に対して、前記外部電力受入部から受け入れた外部電力及び前記内部電源から出力された電力の少なくとも一方を供給することを特徴とする制御方法。
【発明の詳細な説明】
【技術分野】
【０００１】
本発明は制御装置及び制御方法に関し、特に、燃料電池本体部において発生する電力を含む電力を出力する内部電源と、車両外部から供給される外部電力を受け入れる外部電力受入部とを備える車両の暖機動作を制御する制御装置及び制御方法に関する。
【背景技術】
【０００２】
燃料電池搭載車両は、寒冷地などの低温状態では、その始動性能が低いことが知られている。これは、燃料電池の電力生成部（燃料電池本体）で発生した水が凍結し、排水路を閉塞してしまうこと、電力生成部を構成する電解質膜のうちの水素イオンの通る部分の抵抗が低温時には非常に大きくなるため、イオンを通しにくくなること、及び燃料電池のカーボンセパレータは、樹脂とカーボンを混ぜて成型しているため、低温時には、樹脂部分を電気が通りにくく、接触抵抗が高くなること、などが原因と考えられている。従来においては、燃料電池搭載車両の始動限界温度は、−３０℃程度であると考えられていた。
【０００３】
このような低温状態における始動性能の低下を改善するための技術として、燃料電池から発生する水が凍結した場合に、燃料電池システムから発生する排気ガスの熱エネルギを凍結水に与えて融解させる燃料電池システムが提案されている（特許文献１参照）。
【０００４】
また、最近においては、家庭用電源などの外部電源からの電力を充電して用いることが可能な燃料電池搭載車両（プラグイン・ハイブリッド車）も開発されてきており、その外部電源からの電力を用いて、加熱装置を作動させ、燃料電池装置の暖機運転を行う車両用燃料電池装置の提案もなされている（特許文献２参照）。
【０００５】
【特許文献１】特開平８−２７３６８９号公報
【特許文献２】特開２００５−３１７４１０号公報
【発明の開示】
【発明が解決しようとする課題】
【０００６】
しかしながら、特許文献１に記載の燃料電池システムでは、排気ガスと凍結水との間で熱交換するための装置や、排気ガスを導入する機構、更には排気ガスを外部に排出する場合と熱交換器へ導入する場合との間で切り替える機構等が必要であるため、装置の大型化やコストアップを招くおそれがある。
【０００７】
また、特許文献２に記載の車両用燃料電池装置では、（１）外部加熱モードでは、燃料電池本体部を停止した状態で、外部電源からの電力を用いて加熱装置を作動させ、（２）自己発熱モードでは、燃料電池本体部が発電した際に発生した熱を用いて燃料電池本体部を昇温させ、（３）温度制御モードでは、燃料電池本体部が作動するとともに燃料電池本体部が発電した電力を車両電源系へ供給し、かつ補機部を停止状態に保って燃料電池本体へ供給する空気量に基づき燃料電池本体の温度を制御する、こととしているため、燃料電池装置の暖機運転が効率よく行われて起動に要する時間が短縮できる。しかるに、自己発熱モードでは、燃料電池本体部が発電した際に発生した熱を用いて燃料電池本体部自体を昇温させるため、外部加熱モードのように加熱装置を作動させて燃料電池本体を昇温させる場合に比べて、非効率的である。
【０００８】
そこで本発明は上記の課題に鑑みてなされたものであり、車両の暖機動作を効果的に行うことが可能な制御装置及び制御方法を提供することを目的とする。
【課題を解決するための手段】
【０００９】
上記課題を解決するために、本発明は、燃料電池本体部で発生する電力を含む電力を出力する内部電源と、車両外部から供給される外部電力を受け入れる外部電力受入部と、を備える車両の暖機動作を制御する制御装置において、前記燃料電池本体部、及び前記燃料電池本体部において発生した水を前記車両外に排出する排水管の少なくとも一方の温度を直接的又は間接的に検出する検出手段による検出の結果、前記燃料電池本体部が動作不可能な温度であった場合には、前記燃料電池本体部及び前記排水管の少なくとも一方の温度を上昇させる加熱部に対して、前記外部電力受入部から受け入れた外部電力のみを供給し、前記検出手段による検出の結果、前記燃料電池本体部が動作可能な温度であった場合には、前記加熱部に対して、前記外部電力受入部から受け入れた外部電力及び前記内部電源から出力された電力の少なくとも一方を供給することを特徴としている。これによれば、燃料電池本体部及び排水管の少なくとも一方の温度が、燃料電池本体部が動作不可能な温度であった場合でも、加熱部に対して外部電力を供給することにより、燃料電池本体部を発電可能な状態にすることができる。また、燃料電池本体部が動作可能な温度であった場合には、加熱部に対して、外部電力及び前記内部電源から出力された電力の少なくとも一方を供給することとしているので、燃料電池本体部自体の自己発熱を用いる場合と比べて効果的に燃料電池本体部及び排水管の少なくとも一方の昇温を行うことが可能であるとともに、外部電力と内部電源から出力された電力の配分を適切に変更することで、ユーザのニーズに応じた適切な昇温を行うことができる。したがって、本発明によれば、車両の暖機動作を効果的に行うことが可能となる。
【００１０】
この場合において、前記検出手段による検出の結果、前記燃料電池本体部が動作可能な温度であった場合には、前記燃料電池本体部の温度に応じて変化する電力生成効率に基づいて、前記外部電力受入部から受け入れた外部電力と、前記内部電源から出力された電力との割合を変更して、前記加熱部に供給することとしても良いし、前記外部電力受入部から受け入れた外部電力と前記内部電源から出力される電力の単価、及び加熱部の発熱効率を考慮して、前記両電力の割合を変更し、前記加熱部に供給することとしても良いし、前記外部電力受入部に対して外部電力が供給されているか否かを判断し、前記外部電力が供給されていない場合には、前記加熱部に対して、前記内部電源から出力された電力のみを供給することとしても良い。燃料電池本体部の電力生成効率に基づく場合には、燃料電池本体部及び排水管の少なくとも一方を効果的に昇温させることが可能であり、単価に基づく場合には、燃料電池本体部及び排水管の少なくとも一方の昇温を適切なコスト、適切な効率で行うことが可能であり、外部電力が供給されているか否かで判断する場合には、ユーザが、外部電力のプラグイン接続を解除して、車両を早く始動したい場合にも適切に対応することが可能である。
【００１１】
また、本発明の制御装置では、前記加熱部に対する電力の供給停止を、前記検出手段の検出結果及び／又は前記燃料電池本体における電力生成効率に基づいて制御することとすることができる。かかる場合には、適切なタイミングで加熱部への電力の供給を停止することができる。
【００１２】
また、本発明は、燃料電池本体部において発生する電力を含む電力を出力する内部電源と、車両外部から供給される外部電力を受け入れる外部電力受入部と、を備える車両の暖機動作を制御する制御方法において、前記燃料電池本体部、及び前記燃料電池本体部において発生した水を前記車両外に排出する排水管の少なくとも一方の温度を直接的又は間接的に検出し、前記検出の結果、前記燃料電池本体部が動作不可能な温度であった場合には、前記燃料電池本体部及び前記排水管の少なくとも一方の温度を上昇させる加熱部に対して、前記外部電力受入部から受け入れた外部電力のみを供給するとともに、前記検出の結果、前記燃料電池本体部が動作可能な温度であった場合には、前記加熱部に対して、前記外部電力受入部から受け入れた外部電力及び前記内部電源から出力された電力の少なくとも一方を供給することを特徴としている。これによれば、燃料電池本体部及び排水管の少なくとも一方の温度が、燃料電池本体部が動作不可能な温度であった場合でも、加熱部に対して外部電力を供給することにより、燃料電池本体部を発電可能な状態にすることができる。また、燃料電池本体部が動作可能な温度であった場合には、加熱部に対して、外部電力及び前記内部電源から出力された電力の少なくとも一方を供給することとしているので、燃料電池本体部自体の自己発熱を用いる場合と比べて効果的に燃料電池本体部及び排水管の少なくとも一方の昇温を行うことが可能であるとともに、外部電力と内部電源から出力された電力の配分を適切に変更することで、ユーザのニーズに応じた適切な昇温を行うことができる。したがって、本発明によれば、車両の暖機動作を効果的に行うことが可能となる。
【発明の効果】
【００１３】
本発明によれば、車両の暖機動作を効果的に行うことが可能な制御装置及び制御方法を提供することができる。
【発明を実施するための最良の形態】
【００１４】
以下、本発明を実施するための最良の形態を図１〜図３に基づいて詳細に説明する。
【００１５】
図１には、本発明の制御装置としてのＥＣＵ（Electronic Control Unit）３０を含む燃料電池搭載車両１００の一部が概略的に示されている。この図１に示されるように、燃料電池搭載車両１００は、燃料電池本体部としての電力生成装置１０と、電力生成装置１０が接続された内部電源１４と、内部電源１４に接続されたニッケル水素電池やリチウムイオン電池などの２次電池から成るバッテリ１６と、内部電源１４からの直流電力を交流電力に変換するインバータ１８と、インバータ１８から出力される交流電力により駆動されるモータ２０と、外部電源２８から交流電力が入力されるとともに、その交流電力を直流電力に変換する外部電力受入部としての電圧変換装置２６と、加熱部としての加熱装置２２，２４と、これら各部を統括制御するＥＣＵ３０とを備えている。
【００１６】
電力生成装置１０は、所望の出力を得るために、空気極と燃料極で電解質膜を挟持した構成である燃料電池単位セルを、複数積層したものである。この電力生成装置１０には、酸素と水素との結合により生じる生成水を燃料電池搭載車両１００の外部に排出するための排水管１２が接続されている。
【００１７】
なお、電力生成装置１０は、極めて低温な環境（例えば−３０℃）においては、動作（発電）ができなくなる可能性がある。これは、そのような環境では、酸素と水素の結合により生じる生成水が凍結し、排水管１２を閉塞してしまうことや、電力生成装置１０を構成する電解質膜のうちの水素イオンの通る部分の抵抗が低温時には非常に大きくなるためイオンを通しにくくなること、あるいは、燃料電池単位セルを構成するカーボンセパレータは、樹脂とカーボンを混ぜて成型しているため、低温時には樹脂部分を電気が通りにくく、接触抵抗が高くなることなどが原因と考えられている。
【００１８】
内部電源１４は、電力生成装置１０において発電された直流電力を昇圧する電力生成装置１０用のＤＣ／ＤＣコンバータ、バッテリ１６用の昇降圧型のＤＣ／ＤＣコンバータ、及び平滑コンデンサ等を含んでいる。したがって、内部電源１４は、電力生成装置１０において発電された直流電力を電力生成装置１０用のＤＣ／ＤＣコンバータにおいて昇圧するとともに、平滑コンデンサを介してインバータ１８に供給する。すなわち、直流電力は、内部電源１４からインバータ１８に供給される際には高電圧化（例えば６５０Ｖまで昇圧）されている。また、バッテリ１６から出力された直流電力も、バッテリ１６用のＤＣ／ＤＣコンバータにおいて昇圧するとともに、平滑コンデンサを介してインバータ１８に供給する。
【００１９】
なお、車両が減速する際や下り坂走行の際など、回生運転を行っている間にモータ２０で発生した回生電力は、インバータ１８を介して内部電源１４に含まれるバッテリ１６用のＤＣ／ＤＣコンバータに入力され、このＤＣ／ＤＣコンバータにおいて降圧された後、バッテリ１６に蓄電されるようになっている。すなわち、本実施形態の燃料電池搭載車両１００は、ハイブリッド燃料電池車両である。
【００２０】
電圧変換装置２６は、外部電源２８（家庭用コンセントなど）と接続（プラグイン）されることにより、外部から入力される交流電力を直流電力に変換するとともに、バッテリ１６に対する蓄電が可能な程度の電圧に変換するためのものである。
【００２１】
加熱装置２２は、電熱ヒータを含み、排水管１２に対して熱エネルギを供給するためのものである。この加熱装置２２としては、電熱ヒータを排水管１２に直接接触させて、電熱ヒータから排水管１２に伝導する伝導熱により、加熱することとしても良いし、放射熱を用いて排水管を加熱することとしても良い。また、非凍結型の熱媒体を電熱ヒータにより加熱して、その熱媒体を排水管の周囲を循環させることにより、排水管を加熱することとしてもよい。
【００２２】
加熱装置２４も同様に、電熱ヒータを含み、電力生成装置１０に対して熱エネルギを供給するためのものであり、上記加熱装置２２と同様、種々の加熱装置を採用することが可能である。
【００２３】
これら加熱装置２２，２４には、前述した内部電源１４からの電力（以下、説明の便宜上、「内部電力」と呼ぶものとする）と、電圧変換装置２６を介した、外部電源２８からの電力（以下、説明の便宜上、「外部電力」と呼ぶものとする）が供給されるようになっている。なお、これら内部電力及び外部電力の供給方法については、後述する。
【００２４】
温度センサ３２は、電力生成装置１０の温度を検出するためのものであり、その検出結果は、ＥＣＵ３０に供給される。また、外気温センサ３４は、燃料電池搭載車両１００の外気温を検出するためのものであり、その検出結果は、ＥＣＵ３０に供給される。
【００２５】
ＥＣＵ３０は、電力生成装置１０の発電などを制御する電子制御ユニットである。本実施形態では、ＥＣＵ３０は、車両の始動前における暖機動作時において、温度センサ３２、外気温センサ３４の検出結果に基づいて、電圧変換装置１０及び内部電源１４から加熱装置２２，２４への電力供給を制御する。
【００２６】
次に、本実施形態において、上記暖機動作における、ＥＣＵ３０による処理について、図２のフローチャートに沿って詳細に説明する。
【００２７】
このフローチャートは、例えば、ユーザが、始動スイッチをオンにした場合に開始される。まず、ステップＳ１０では、外気温センサ３４の検出結果に基づいて、燃料電池搭載車両１００の外部温度が所定温度（ｔ１）以上か否かが判断される。この場合の所定温度（ｔ１）は、電力生成装置１０の電力生成効率を高く維持することが可能な温度（例えば１０℃程度）に設定されている。ここでの判断が肯定された場合（すなわち、燃料電池搭載車両１００が問題なく始動できる場合）には、本フローチャートを終了して、車両の通常のドライブモードに移行する。
【００２８】
一方、ここでの判断が否定された場合には、次のステップＳ１２に移行する。このステップＳ１２では、温度センサ３２の検出結果に基づいて、電力生成装置１０の温度が所定温度（ｔ２）以下か否かが判断される。この場合の所定温度（ｔ２）は、この温度未満では電力生成装置１０による発電が不可能な温度（例えば、−３０℃）に設定されている。ここでの判断が否定された場合（すなわち、電力生成装置１０が始動可能な場合）には、ステップＳ１４〜Ｓ２０（以下、これらのステップを纏めて「外部電力加熱モードＭ１」と呼ぶ）をスキップして、ステップＳ２２に移行するが、判断が肯定された場合（すなわち、電力生成装置１０の始動が不可能な場合）には、外部電力加熱モードＭ１に移行する。
【００２９】
この外部電力加熱モードＭ１では、まず、ステップＳ１４において、ユーザに対して、電力生成装置１０が始動不可能である旨の警告を行うとともに、プラグイン接続を要求（外部電源２８と電圧変換装置２６との間を配線で接続するように要求）する。次いで、ステップＳ１６において、ユーザによってプラグイン接続がされるまで待機する。そして、ユーザによりプラグイン接続が行われることにより、不図示の検知手段を介して、そのプラグイン接続を検知した時点で、次のステップＳ１８に移行する。
【００３０】
ステップＳ１８では、電圧変換装置２６を介して、外部電源２８から供給される交流電力（ＡＣ１００Ｖ）を直流電力に変換するとともに降圧（ＤＣ１２〜１６Ｖ）し、その電力を、加熱装置２２，２４に向けて供給する。
【００３１】
その後、加熱装置２２，２４に対して外部電力を供給し続け、ステップＳ２０において、電力生成装置１０が動作可能（発電可能）な温度ｔ２（例えば、−３０℃）になったことを、温度センサ３２を介して検出した段階で、次のステップＳ２２に移行する。
【００３２】
ステップＳ２２では、電力生成装置１０の駆動、すなわち電力生成装置１０による発電を開始し、ステップＳ２４以降のモード（以下、このモードを、「選択加熱モードＭ２」と呼ぶものとする）に移行する。
【００３３】
この選択加熱モードＭ２では、まずステップＳ２４において、内部電源１４から加熱装置２２，２４への電力供給が許可されているかどうかが判断される。本実施形態では、内部電源１４から加熱装置２２，２４への電力供給を許可するか否かについて、ユーザが、車両内に配置されたスイッチ等を介して、予め選択できるようになっている。
【００３４】
ここでの判断が肯定されると、ステップＳ２６において、外部電力を加熱装置２２，２４に供給するか否かを判断する。この場合にも、外部電力の供給を許可するか否かについて、ユーザが、車両内に配置されたスイッチ等を介して、予め選択できるようになっており、また、プラグイン接続がされていないことが不図示の検知手段により検知された場合には、ここでの判断は自動的に否定されるようになっている。
【００３５】
ここでの判断が否定された場合には、ステップＳ２８に移行し、内部電源１４からの内部電力のみを加熱装置２２，２４に供給する。
【００３６】
これに対し、ステップＳ２６の判断が肯定されると、ステップＳ３０において、加熱装置２２，２４に対して、内部電力と外部電力の両方の供給を開始する。
【００３７】
このステップＳ３０では、内部電力と外部電力との供給割合の設定を変更することができる。例えば、図３に示されるように、温度センサ３２の検出結果に基づいて、内部電源１４からの内部電力の割合と、外部電源２８からの外部電力の割合とを温度に応じて変更することとすることができる。すなわち、図３に示されるように、電力生成装置１０の温度が−３０℃のときには、外部電力を１００％、内部電力を０％とし、温度が上昇するにしたがって、内部電力の比率を上昇させるとともに、外部電力の比率を下降させる（例えば、外部電力の比率＝（１００−内部電力の比率）％）ように設定しておくことができる。
【００３８】
電力生成装置１０の電力生成効率は、温度に依存するため、上記のような制御を行うことで、電力生成装置１０で発電された電力を有効に利用することができる。また、電力生成装置１０で生成された電力はモータ２０に通電するために内部電源１４で増幅（昇圧）されるようになっているため、内部電力を利用したほうが加熱装置２２，２４の昇温が早いという利点があり、電力生成装置１０及び排水管１２の温度を効率的に上昇させることが可能である。
【００３９】
ところで、ステップＳ２４における判断が否定された場合には、ステップＳ３２に移行し、ステップＳ２６と同様、外部電力を加熱装置２２，２４に供給するか否かの判断が行われる。この場合にも、外部電力の供給を許可するか否かについて、ユーザが、車両内に配置されたスイッチ等を介して、予め選択できるようになっており、また、プラグイン接続がされていないことが不図示の検知手段により検知された場合には、ここでの判断は自動的に否定されるようになっている。
【００４０】
ここでの判断が肯定された場合には、ステップＳ３４に移行し、外部電力のみを加熱装置２２，２４に供給し続ける。
【００４１】
これに対し、このステップＳ３２における判断が否定された場合には、ステップＳ３６において、加熱装置２２，２４への外部電力の供給を停止し、次のステップＳ３８において、車両の始動を行うことができない旨のエラーを出力し、本フローチャートを終了する。
【００４２】
上述したステップＳ２８、Ｓ３０、Ｓ３４における電力供給は、ステップＳ４０において、車両の始動が開始可能と判断されるまで続けられる。この場合、温度センサ３２の検出結果が所定温度（前述した温度ｔ１）以上になったか否かを判断の基準としても良いし、電力生成装置１０の電力生成効率（電力生成装置１０において発電される電力の測定結果から得られる効率）を判断の基準としても良い。
【００４３】
その後、ステップＳ４０の判断が肯定された段階で、図２のフローチャートを終了し、燃料電池搭載車両１００の通常のドライブモードに移行する。
【００４４】
以上詳細に説明したように、本実施形態によると、電力生成装置１０の温度が、電力生成装置１０が動作不可能（発電不可能）な温度であった場合には、加熱装置２２，２４に対して外部電源２８からの外部電力を供給することにより、電力生成装置１０を発電可能な状態にすることが可能である。また、電力生成装置１０が発電可能な温度であった場合には、加熱装置２２，２４に対して、外部電力及び内部電源１４からの内部電力の少なくとも一方を供給することにより、電力生成装置１０自体の自己発熱を用いる場合と比べて効果的に電力生成装置１０及び排水管１２を昇温させることが可能である。
【００４５】
なお、上記実施形態では、図３に示されるように、電力生成装置１０の温度（すなわち、電力生成装置１０の電力生成効率）に基づいて、内部電力と外部電力との割合を変更する場合について説明したが、これに限らず、コスト面を考慮して、内部電力と外部電力の割合を決定することとしても良い。すなわち、例えば、外部電力のエネルギ単位あたりの価格（電力会社に支払う価格を基にして算出した価格）を仮に「２０円」とし、燃料電池で用いる水素のエネルギ単位あたりの価格を仮に「８０円」とした場合に、コストを重視して、より安価で電力生成装置１０の暖機を行いたいのであれば、図４に示されるように、外部電力の比重を大きくするとともに内部電力の比重を小さくし、逆に、時間を重視して、より早期に電力生成装置１０の暖機を行いたいのであれば、外部電力の比重を小さくし、内部電力の比重を大きくするというように、内部電力と外部電力の割合を決定することも可能である。
【００４６】
なお、上記実施形態では、ステップＳ２４、Ｓ２６、Ｓ３２では、ユーザが予め設定した条件に基づいて判断が行われる場合について説明したが、これに限られるものではなく、例えば、車両のコンセプト（低コスト型や早期暖機終了型といったコンセプト）に基づいてメーカ側が予め設定しておくことも可能である。
【００４７】
また、車両に搭載されている水素の残量に応じて、内部電力と外部電力の割合を決定することも可能である。すなわち、水素の残量が少ない場合には、外部電力を積極的に使用したりすることも可能である。
【００４８】
なお、上記実施形態では、ステップＳ１０の判断を、外気温センサ３４による検出結果（燃料電池搭載車両１００の外気温）に基づいて行うこととしたが、これに限られるものではなく、温度センサ３２による検出結果（電力生成装置１０の温度）に基づいて行うこととしても良い。また、上記実施形態では、温度センサ３２を電力生成装置１０に設けることとしたが、これに代えて、又はこれとともに、排水管１２に温度センサを設け、排水管の温度から電力生成装置の温度を判断し、その結果に基づいてステップＳ１０の判断を行うこととしても良い。また、温度センサは、電力生成装置１０又は排水管１２に直接設けなくても良く、温度センサを、電力生成装置１０又は排水管１２の近傍に配置することとしても良い。
【００４９】
また、上記実施形態では、ステップＳ３２における判断が否定されると処理が終了する場合について説明したが、これに限らず、例えば、ステップＳ３２の判断が否定された場合に、ユーザに対して設定を変更する旨の指示を出した後、ステップＳ２４に戻るようにしても良い。
【００５０】
なお、上記実施形態では、外部電源が家庭用コンセントであり、交流電源である場合について説明したが、本発明がこれに限られるものではなく、例えば、今後のインフラ整備により、直流電力を外部電力として供給可能になった場合（例えば太陽電池などを利用した電源設備が、各家庭や街中に設置された場合など）には、図５に示されるように、図１の電圧変換装置２６をＤＣ／ＤＣコンバータ１２６に変更し、外部電源からの直流電力を昇圧又は降圧して、加熱装置やバッテリに供給することとすれば良い。
【００５１】
上述した実施形態は本発明の好適な実施の例である。但し、これに限定されるものではなく、本発明の要旨を逸脱しない範囲内において種々変形実施可能である。
【図面の簡単な説明】
【００５２】
【図１】一実施形態に係る燃料電池搭載車両を概略的に示す図である。
【図２】図１のＥＣＵによる処理を示すフローチャートである。
【図３】図２のステップＳ３０における内部電力と外部電力の供給方法を説明するための図である。
【図４】内部電力と外部電力の供給方法の変形例を説明するための図である。
【図５】外部電源が直流電源である場合の変形例を示す図である。
【符号の説明】
【００５３】
１０  電力生成装置（燃料電池本体部）
１４  内部電源
１２  排水管
２６  電圧変換装置（外部電力受入部）
２８  外部電源
３０  ＥＣＵ（制御装置）
３２  温度センサ（検出手段）
３４  外気温センサ（検出手段）
１００  燃料電池搭載車両（車両）
【図１】
2009026563.tif 000003
【図２】
2009026563.tif 000004
【図３】
2009026563.tif 000005
【図４】
2009026563.tif 000006
【図５】
2009026563.tif 000007